(57)【要約】【課題】本発明は、従来のプレゼンテーションや映画鑑賞などに限定して利用されていた、プロジェクタ装置の利用範囲を広げ、種々の投影表示装置としての利用を可能とすることを目的とするものである。【解決手段】本発明の装置は、発光素子を用いることにより、大きな光源ユニット、及びカラーホイールユニットを不要とすることにより、小型、軽量な携帯型のプロジェクタを構成可能とし、また、電池が内臓されているため、電源線の無いところでも、投影することが可能であり、また電源線のある所では、電池を用いることなく投影が可能であり、かつ電池の充電も可能となる。更に、補機により、コンセントのある場所では、大電力を用いることにより、高出力で大画面に投影することを可能とし、また、バッテリの充電を可能とする。また、補機に、画像データの複数の入力インターフェースを集中することにより、携帯型のプロジェクタには必要最低限の画像入力端子のみ設ければよく、携帯型のプロジェクタをより小型化することが可能となる。【選択図】    図１
2006011346.tif 000002
【特許請求の範囲】
【請求項１】
複数の発光素子と、この複数の発光素子からの光線を一方向に出力する光学部品と、この光学部品からの出力光を投影画像に変調する画像形成装置と、この画像形成部品からの出力光を拡大投影する投影レンズと、前記発光素子及び画像形成部品を駆動する電力を発生するバッテリと、投影のための画像データを入力する画像データ信号入力端子と、バッテリを充電するための電力端子とを有することを特徴とする携帯型プロジェクタと、
この携帯型プロジェクタを収納する収納部と、外部電子機器から画像データを入力する端子と、この端子から入力された画像データを一時記憶した後、前記データ信号入力端子に出力する画像データ処理部と、前記電力端子に接続され、バッテリを充電すると共に、前記複数の発光素子に電力を供給する電源ユニットとを有する補機とからなることを特徴とするドッキング型画像投影装置。
【請求項２】
前記携帯型プロジェクタには、画像データを記憶する外部記憶媒体が接続されるスロットを有することを特徴とする請求項１項記載のドッキング型画像投影装置。
【請求項３】
前記携帯型プロジェクタが前記補機から取外された状態よりも、前記携帯型プロジェクタが前記補機に収納された場合に、前記複数の発光素子がより高出力に発光することを特徴とする請求項１項記載のドッキング型画像投影装置。
【発明の詳細な説明】
【技術分野】
【０００１】本発明は、投影形の高精細度テレビジョン（ＨＤＴＶ）システムやビデオプロジェクタ等に使用される投影形の画像表示装置に関し、特に、小型の投影機本体と、この投影機本体が接続される補機とからなる画像投影装置に関する。
【背景技術】
【０００２】出願人は、先に、特願２００１−７１９３７号に示される画像表示装置を出願した。この画像表示装置は、白色光源と、白色光源からの光線を２次光源として集光する集光ミラーと、２次光源の位置に配置され、白色光を時間的に光の３原色に分解するカラーフィルタと、コンデンサレンズと、第１及び第２の折り返しミラーと、２次元に配列された各ピクセルの微小ミラーの傾きを変化させることにより反射光の角度を変化させてオン／オフ状態を作る反射表示手段と、この反射表示手段によって表された画像をスクリーンに拡大して投影する投影レンズとを備えるものである。【０００３】図３は、上記従来技術の構造図であり、２０は白色光源のアーク（発光点）、２１は集光ミラーとしての楕円ミラー、２２は輪帯部分が光の三原色（赤、緑、青）に分割された回転可能なカラーフィルタ、２３は光学部品であるライトトンネル、２４はコンデンサレンズ、２５は折り返しミラーとしての平面ミラー、２６は第２の折り返しミラーとしての球面ミラー、２７は後述する反射表示手段としてのＤＭＤ（ディジタルマイクロミラーデバイス）、２８は第２のコンデンサレンズ、２９は投影レンズである。【０００４】ここで、ＤＭＤ５６は、「光学」（ｖｏｌ．２５，Ｎｏ．６，ｐ．３１３〜３１４，１９９６年）に記載されているように、２次元的に配列した各ピクセルが微小なミラーから構成され、各ピクセルごとにその直下に配置されたメモリー素子による静電界作用によって上記微小ミラーの傾きを制御し、反射光の反射角度を変化させることによってオン／オフ状態を作る反射形表示素子である。そして、ピクセルがオフの状態では、当該ピクセルの微小ミラーによる反射光が投影レンズに入射せず、ピクセルがオンの状態では、当該ピクセルの微小ミラーによる反射光が投影レンズ５７に入射してスクリーンに画像を形成するように光学系部品を配置する必要がある。なお、各ピクセルの微小ミラーのオン時の傾き角は、ＤＭＤ２７の光線の入射面に対して１０から１２度程度と決められている。【０００５】
【特許文献１】特開２００３−２８３８９９
【特許文献２】特開２００３−２０８４１１
【発明の開示】
【発明が解決しようとする課題】
【０００６】従来プロジェクタ装置と言えば、白色の大きなスクリーン上に、画像を大きく投影することのみを目的としていた。
しかしながら、そのような大画面の投影にのみプロジェクタを利用していたのでは、今後のプロジェクタ装置の大幅な需要の増加は望めない。
これに対して、上述の特許文献１、２に示すような、デジタルカメラや、携帯端末などの機器のおいては、本体と補機（クレードルと称する）とを有するものがある。
このような補機を、プロジェクタ装置に応用することで、プロジェクタ装置の新たなる利用形態を創出する可能性か広がる。
そこで、本発明は、従来にない新しい利用が可能な、新規な画像投影装置を提供することを目的としている。【０００７】新規な利用とは、例えば、
（１）交流電源のコンセントのない場所での投影、
（２）レストランなどの小さな壁や、テーブルの小さな空き領域への投影、
（３）大型スクリーンへの投影によるプレゼンテーション時に、その説明のためのコメントや確認事項を手許で、自分だけ確認するための投影、
などである。
【課題を解決するための手段】
【０００８】上記課題を解決するため、本発明は、請求項１に記載するように、複数の発光素子と、この複数の発光素子からの光線を一方向に出力する光学部品と、この光学部品からの出力光を投影画像に変調する画像形成装置と、この画像形成部品からの出力光を拡大投影する投影レンズと、前記発光素子及び画像形成部品を駆動する電力を発生するバッテリと、投影のための画像データを入力する画像データ信号入力端子と、バッテリを充電するための電力端子とを有することを特徴とする携帯型プロジェクタと、
この携帯型プロジェクタを収納する収納部と、外部電子機器から画像データを入力する端子と、この端子から入力された画像データを一時記憶した後、前記データ信号入力端子に出力する画像データ処理部と、前記電力端子に接続され、バッテリを充電すると共に、前記複数の発光素子に電力を供給する電源ユニットとを有する補機とからなることを特徴としている。【０００９】更に、請求項２項、３項に記載するように、前記携帯型プロジェクタには、画像データを記憶する外部記憶媒体が接続されるスロットを有することを特徴とし、また、前記携帯型プロジェクタが前記補機から取外された状態よりも、前記携帯型プロジェクタが前記補機に収納された場合に、前記複数の発光素子がより高出力に発光することを特徴としている。
【発明の効果】
【００１０】本発明の装置は、発光素子を用いることにより、大きな光源ユニット、及びカラーホイールユニットを不要とすることにより、小型、軽量な携帯型のプロジェクタを構成可能とし、また、電池が内臓されているため、電源線の無いところでも、投影することが可能である。
更に、補機により、コンセントのある場所では、大電力を用いることにより、高出力で大画面に投影することを可能とし、また、バッテリの充電を可能とする。
また、補機に、画像データの複数の入力インターフェースを集中することにより、携帯型のプロジェクタには必要最低限の画像入力端子のみ設ければよく、携帯型のプロジェクタをより小型化することが可能となる。
【発明を実施するための最良の形態】
【００１１】以下、図に沿って本発明の実施形態を説明する。図１、２は本発明の実施形態を示す構造図であり、主要部品の位置関係を示している。
尚、図１は、携帯型プロジェクタを補機から取外した状態、図２は、携帯型プロジェクタを補機に収納した状態を表している。【００１２】これらの図において、１は夫々、赤、青、緑色の発光を行う半導体発光素子（発光ダイオード）、２は、これらの各発光ダイオードから出力される各色の光を１方向に出力するための光学部品であるプリズム、３は、光の輝度の均一化のためのライトトンネル、４は、光を集中させるコンデンサレンズ、５は、均一光から画像を形成するための画像形成装置である光変調装置（本実施例では、デジタルマイクロミラーデバイスを用いている。）、６は、先のコンデンサレンズから出力された均一光を、光変調装置５に一定角度を持って照射するミラー、７は、光変調装置５で形成された画像を拡大して投影する投影レンズである。
また、８は、先の複数の発光ダイオード１を駆動し、また、光変調装置を駆動するための主回路基板、９は、バッテリ、１０は、投影するための画像データが記憶された外部記憶装置が接続されるスロット、１１は、補機から電力及び、画像データを得るための接続端子である。
携帯型のプロジェクタ１２は以上の構成からなっている。【００１３】補機１３は、携帯型のプロジェクタ１２の収納部１４、外部からの画像データの入力を行う入力インターフェース１５、１００ボルト或いは２００ボルトの交流電源のコンセントに接続され、電力を得ると共に、直流電力に変換する電源ユニット１６を有している。
更に、画像データの入出力、画像データのフォーマット変換などの処理を行うＣＰＵや画像メモリが搭載された第２の回路基板（画像データ処理部）１７、及び、前記携帯型プロジェクタ１２の接続端子１１に接続される、補機１３側の接続端子１８を有している。
尚、入力インターフェース１２は、ＲＧＢ入力端子、ビデオ入力端子、Ｓビデオ入力端子、及びＵＳＢ端子から成る。【００１４】尚、携帯型プロジェクタの主要構成部品、及びその動作は、本出願人が先に出願した、特願２００４−１４９９０７に詳細に記載している。【００１５】携帯型プロジェクタ１２を、補機１３から取外して使用する場合は、バッテリ９の電力により、発光ダイオード１の駆動、光変調装置５の駆動などの投影動作がされる。
従って、バッテリ９の消費電力を押されるため、例えば表示面積が１５インチ程度の大きさまでの画像投影表示に適している。
また、携帯型プロジェクタ１２を、補機１３に収納して使用する場合は、外部から電力を供給できるため、大型のスクリーンへの画像投影表示に適している。言い換えるなら、携帯型プロジェクタ１２を補機１３と接続した状態で、従来のプロジェクタ装置として利用し、携帯型プロジェクタ単体は、簡易表示を行うことに利用するのが好ましい。
また、携帯型プロジェクタ１２を、補機１３に収納して使用する場合には、電源ユニット１３により、バッテリ９が充電される。【００１６】尚、携帯型プロジェクタ単体１２には、図示しないパーソナルコンピュータとの接続端子（入力インターフェース）を有していないが、補機１３側には接続端子を有しているため、携帯型プロジェクタ１２を、補機１３に収納した状態において、パーソナルコンピュータによる制御によって、投影動作が行われる。尚、入力インターフェース１４は、機械的な端子に限らず、例えば、通信機によって構成してもよい。この場合は、画像データを無線により入力することが可能となるため、補機とコンピュータとの配線が不要となる。【００１７】尚、携帯型プロジェクタ単体１２のみであっても、室内が暗い場合は、大画面への投影は、十分に可能である。【００１８】更に、例えば、レストランの各テーブルに、携帯型プロジェクタを設置すれば、メニューなどを紙で用意する必要がなく、テーブルの空きスペースに、メニューを表示させるような利用ができる。
尚、メニュー以外に、各料理の説明や、その他の情報を表示してもよい。
また、美術館や博物館などで、展示品の説明を、投影表示することに、本発明を利用してもよい。【００１９】本発明は、上記一実施例に限定されるものではなく、例えば、光変調装置は、液晶ライトバルブであってもよい。また、入力インターフェースは、種々適用可能である。また、携帯プロジェクタや補機の携帯は、図１に示した図に限定されず、また、その構成部品も他の光学部品なども追加が可能である。
【産業上の利用可能性】
【００２０】以上述べたように本発明では、従来よりも装置の小型化、コンパクト化が可能になり、従来のプレゼンテーションや、映画鑑賞などに限定されず、プロジェクタ装置の利用範囲が広がり、種々の投影表示装置としての利用が可能となる。
【図面の簡単な説明】
【００２１】
【図１】図１は、本発明の実施例の形態に係る主要な構成を示す構成図である。
【図２】図２は、本発明の実施例の形態に係る主要な構成を示す構成図であり、携帯型プロジェクタを補機に収納した状態を示している。
【図３】図３は、従来のプロジェクタの主要構成部品を示す概念図である。
【符号の説明】
【００２２】１：発光素子
２：光学部品（プリズム）
５：画像形成装置（光変調装置）
７：投影レンズ
９：バッテリ
１１：接続端子（画像データ信号入力端子、及び電力端子）
１２：プロジェクタ
１３：補機
１４：収納部
１６：電源ユニット
１７：第２の回路基板（画像データ処理部）
【図１】
2006011346.tif 000003
【図２】
2006011346.tif 000004
【図３】
2006011346.tif 000005